【手続補正書】
【提出日】平成16年10月8日(2004.10.8)
【手続補正１】
【補正対象書類名】明細書
【補正対象項目名】全文
【補正方法】変更
【補正の内容】
【書類名】        明細書
【発明の名称】    レンガタイル壁用パネル構成材
【特許請求の範囲】
【請求項１】上面と下面の各々に溝が形成されたレンガタイルを配置するためのレンガタイル壁用パネル構成材であって、
１つの主面が２つの支持面の間に位置するように複数の略平坦な主面および各平坦な前記主面から外方向に延びており前記レンガタイルを支持するとともに排水用開口を有している複数の棚状の支持面と、
各支持面の外縁から下方向と上方向に延びているガイドレール壁とを備え、
前記下方向に延びているガイドレール壁が前記レンガタイルの上面に形成された溝に嵌入するとともに、前記上方向に延びているガイドレール壁が当該レンガタイルの下面に形成された溝が嵌入して、当該レンガタイルを挟み込む構造であることを特徴とするレンガタイル壁用パネル構成材。
【請求項２】建築物に接合する前に各パネルが隣接側の縁部に沿って互いに連結されている複数のパネルを備え、上面と下面の各々に溝が形成されたレンガタイルを配置するためのレンガタイル壁用パネル構成材であって、
各パネルは、略平坦な主面と、少なくとも一方が当該レンガタイル壁用パネル構成材の他のパネルの隣接する側縁部と連結している上側縁部および下側縁部と、前記主面から外方向に延びており前記レンガタイルを支持するとともに排水用開口を有している棚状の支持面と、該支持面の外縁から下方向と上方向に延びているガイドレール壁とを備え、
上下に隣接する対のパネルが前記レンガタイルを収納する通路を形成し、当該上のパネルの前記下方向に延びているガイドレール壁が当該レンガタイルの上面に形成された溝に嵌入するとともに、当該下のパネルの前記上方向に延びているガイドレール壁が当該レンガタイルの下面に形成された溝が嵌入して、当該レンガタイルを挟み込む構造であることを特徴とするレンガタイル壁用パネル構成材。
【請求項３】請求項１または請求項２において、
前記主面と前記支持面との間に、前記主面から外方向に延びている狭棚と、該狭棚の外縁から下方向に延び前記主面に平行なスペーサ壁と、を備えることを特徴とするレンガタイル壁用パネル構成材。
【請求項４】請求項３において、
前記排水用開口の内側縁は、前記スペーサ壁と前記支持面との間に形成される角部に隣接していることを特徴とするレンガタイル壁用パネル構成材。
【発明の詳細な説明】
【０００１】
【発明の属する技術分野】
本発明は建築物の壁用パネル構成材に関し、特にレンガタイルを壁に使用する場合の耐震建築に好適なレンガタイル壁用パネル構成材に関する。
【０００２】
【従来の技術】
従来の壁用パネル構造材として、一連の表面レンガタイルを保持するように構成されている金属レールを組み込んだ耐震ブリック・レールシステムが開発されている。その金属レールは細長い金属板からなり、その一方の長辺側縁部は金属板の一方の主面から９０度屈曲され、さらに下方向に９０度屈曲されて、裾部を有する狭棚を形成している。
【０００３】
上述の金属レールは、各端部が建築物の各垂直柱にそれぞれ釘止めされるようになっている。そして、一側縁に沿って上面に溝を有する表面レンガタイルが、前記金属レールの裾部に溝を嵌入するようにして配置される。その後、同様にして一連の表面レンガタイルが前記金属レールの棚に配置されるようになっている。
【０００４】
また、一連の金属レールを並べて互いに連結し、一連の水平延長レールを形成することによって広範囲にレンガを敷き詰めることができ、建築物の側面を表面レンガタイルによって形成することが可能である。そして、各表面レンガタイルの隣接する側面の間にモルタルを埋め込むことによってその位置を固定するようになっている。
【０００５】
このように、従来の各表面レンガタイルは、それぞれの金属レールに配置され支持されているので、地震の際に表面タイルにねじり力が加わっても、金属レールが補強材の役目を果たすことができる。
【０００６】
【発明が解決しようとする課題】
しかしながら、従来の壁用パネル構造材である耐震ブリック・レールシステムにおいては、レンガ自体やモルタルを介して吸収された水分が各金属レールに残留水分として溜まり、金属レールの腐食および表面レンガタイルの損傷を引き起こすという問題があった。特に、より寒冷な地域においては残留水分が凍結し、これにより表面レンガタイルが破壊することがあった。
【０００７】
また、金属レールの腐食のような化学的侵食は重大な損傷につながり、構造的安定性を損なうことになる。
【０００８】
さらに、従来の壁用パネル構造材の問題は、一連の金属レールを互いに連結するために要する作業量にある。これは、金属レールによって表面レンガタイルを配置する通路に、前記表面レンガタイルの溝に挿入するための裾部と、その表面レンガタイルの反対側を支持する棚とを形成するため、隣接する金属レールを正確に位置合わせしなければならないからである。
【０００９】
本発明は、このような問題点を解決するためになされたもので、地震やその他の構造的に危害を及ぼす力に対する耐性を有する建築物壁を得ることができるとともに、壁の建造に要する作業時間を短縮し、しかもレンガ等の壁の裏側に生じる結露によるレンガやモルタルの損傷を低減することができるレンガタイル壁用パネル構成材を提供することを目的としている。
【００１０】
【課題を解決するための手段】
本発明によると、上面（２６）と下面（２７）の各々に溝（２５，２５）が形成されたレンガタイル（２４）を配置するためのレンガタイル壁用パネル構成材（１０）であって、１つの主面（１５）が２つの支持面（広棚２０）の間に位置するように複数の略平坦な主面および各平坦な前記主面から外方向に延びており前記レンガタイルを支持するとともに排水用開口（排水孔２１）を有している複数の棚状の支持面と、各支持面の外縁から下方向と上方向に延びているガイドレール壁（２２，２２）とを備え、前記下方向に延びているガイドレール壁が前記レンガタイルの上面に形成された溝に嵌入するとともに、前記上方向に延びているガイドレール壁が当該レンガタイルの下面に形成された溝が嵌入して、当該レンガタイルを挟み込む構造であることを特徴とするレンガタイル壁用パネル構成材を提供する。これによれば、ガイドレール壁がレンガタイルの上面と下面の溝に嵌入してレンガタイルの落下，剥離を完全に防ぐ構造となっている為、耐震性に優れ長期間の強度を保持できる壁を形成できる。
【００１１】
本発明の他の観点によると、建築物に接合する前に各パネル（１１）が隣接側の縁部に沿って互いに連結されている複数のパネルを備え、上面（２６）と下面（２７）の各々に溝（２５，２５）が形成されたレンガタイル（２４）を配置するためのレンガタイル壁用パネル構成材（１０）であって、各パネルは、略平坦な主面（１５）と、少なくとも一方が当該レンガタイル壁用パネル構成材の他のパネルの隣接する側縁部と連結している上側縁部（１２）および下側縁部（１３）と、前記主面から外方向に延びており前記レンガタイルを支持するとともに排水用開口（排水孔２１）を有している棚状の支持面（広棚２０）と、該支持面の外縁から下方向と上方向に延びているガイドレール壁（２２，２２）とを備え、上下に隣接する対のパネルが前記レンガタイルを収納する通路を形成し、当該上のパネルの前記下方向に延びているガイドレール壁が当該レンガタイルの上面に形成された溝に嵌入するとともに、当該下のパネルの前記上方向に延びているガイドレール壁が当該レンガタイルの下面に形成された溝が嵌入して、当該レンガタイルを挟み込む構造であることを特徴とするレンガタイル壁用パネル構成材を提供する。これによれば、ガイドレール壁がレンガタイルの上面と下面の溝に嵌入してレンガタイルの落下，剥離を完全に防ぐ構造となっている為、耐震性に優れ長期間の強度を保持できる壁を形成できる。
【００１２】
ここで前記主面（１５）と前記支持面（広棚２０）との間に、前記主面から外方向に延びている狭棚（１７）と、該狭棚の外縁から下方向に延び前記主面に平行なスペーサ壁（１９）と、を備えるとよい。これにより、レンガタイル２４の裏面２８が、それを支持しているパネルの主面１５に当接するのを防ぐようになっている。これによれば、主面１５の表面に生じる結露がレンガタイル２４の裏面２８と常に接触状態になることを防止するという利点がある。
【００１３】
また前記排水用開口（排水孔２１）の内側縁は、前記スペーサ壁（１９）と前記支持面（広棚２０）との間に形成される角部に隣接しているとよい。これによれば、終端位置にかけて排水孔２１が形成されていることで、毛細管現象により奥に吸い込まれる水分がパネル１１に沿って排出しやすくなる。
【００１４】
前記支持面は各平坦な主面の下側から外方向に延びているとよい。
【００１５】
各主面の上辺および下辺の少なくとも一方は支持面に隣接しているとよい。
【００１６】
前記支持面は棚状であるとよい。
【００１７】
前記排水用開口は前記支持面に位置するとよい。
【００１８】
他の実施形態によると、前記排水用開口は支持面から離れたパネルの他の部分に位置する。
【００１９】
前記支持面は各パネルの下側に棚を備えるとよい。
【００２０】
なお、便宜上、レンガタイル壁用パネル構成材は主に水平配置して使用する場合について述べられ、その長辺が上側縁部および下側縁部となっている。
【００２１】
各棚は主面に対して略直角に延びているとよい。
【００２２】
各棚は支持すべきレンガタイルの幅より狭くなるようにすることが好ましい。
【００２３】
各パネルまたはレンガタイル壁用パネル構成材は、前記主面と前記支持面との間にスペーサ部を有してもよい。
【００２４】
前記スペーサ部はスペーサ壁によって前記支持面から離間した狭棚を備えてもよい。
【００２５】
前記スペーサ壁は、レンガタイルが隣接して当接するようになっている当接面を有するとよい。
【００２６】
前記スペーサ壁は、前記主面に対して略並行であるとよい。
【００２７】
前記スペーサ壁は、前記主面に対して横方向にずれていてもよい。
【００２８】
前記狭棚はレンガタイルが前記主面に当接することを防ぐことができる。
【００２９】
前記下側縁はモルタル面を含み、そこにモルタルを埋め込むことにより、隣接するレンガタイルを相互接続するようになっているとよい。
【００３０】
前記モルタル面は前記支持面から下方向に延びているとよい。
【００３１】
前記モルタル面は前記支持面の外縁から下方向に延びていてもよい。
【００３２】
前記排水用開口はそれぞれ前記支持面および前記スペーサ壁との間の角部に隣接していることが好ましい。
【００３３】
前記排水用開口は丸孔または長孔でもよい。
【００３４】
前記モルタル面は支持面に対して略直角に延びてもよい。
【００３５】
前記モルタル面の下縁部は、レンガタイルの上面と下面の溝に嵌入するようになっていてもよい。
【００３６】
前記主面の前記上側縁部はスペーサ壁の裏面に当接して連結されることが好ましい。
【００３７】
隣接するパネルは溶接、圧着、金属用接着剤およびクリンチによって互いに連結されることが好ましい。
【００３８】
前記パネル構成材は複数の同様なパネルを備えることが好ましい。
【００３９】
他の実施形態によると、パネル構成材は少なくとも１つの、他のパネルとは異なる構成のパネルを含む。
【００４０】
パネル構成材は、３つの同様なパネルを備えることが好ましい。
【００４１】
なお、「備える、有する、含む」という語は包括的な意味に解釈されるべきものであり、付加的特徴も付け加えることができることを意味する。
【００４２】
【発明の実施の形態】
以下、本発明に係るレンガタイル壁用パネル構成材１０の実施形態の一例を図面を用いて説明する。
【００４３】
図２に示すように、本実施形態のレンガタイル壁用パネル構成材１０は一連のパネル１１により構成され、建築物支持構造体に取り付ける前に、通常、溶接あるいは圧着により互いに連結される。
【００４４】
図３は、レンガタイル壁用パネル構成材１０を形成する一連のパネルの一部である１つのパネル１１を示している。各パネル１１は略長方形の金属板により構成されており、材質は防錆亜鉛メッキおよびジンカリウム（ＢＨＰ社登録商標Ａ５１３９７）により耐蝕性が高められている。図２において、前記パネル１１は、建築物の２つの垂直量梁間を接続するように水平に配置されるようになっている。
【００４５】
また、パネル１１は、上側縁部１２、下側縁部１３および右端縁部１４を有している。そして、パネル１１は、上側縁部１２から第１屈曲部１６に延びる主面１５を有し、前記第１屈曲部１６は主面１５に対して８０度角斜めに外方向へ延び、狭棚１７を形成している。この狭棚１７は、その外縁１８から直角に下方向に延び、主面１５に平行な平面のスペーサ壁１９を形成している。このスペーサ面１９ａの垂直長さは主面１５の長さの４分の１前後である。
【００４６】
スペーサ面１９ａの下端は、ほぼ直角に外方向に延出し、広棚２０を形成している。広棚２０には一連の丸孔状または長孔状の排水用開口として排水孔２１が設けられており、その内側縁はスペーサ面１９と広棚２０との間に形成される角部とともに終端している。このように終端位置にかけて排水孔２１が形成されていることで、毛細管現象により奥へ吸い込まれる水分がパネル１１に沿って排出しやすくなる。また、広棚２０の外縁は、直角に下方向の部分と上方向の部分に延びており、ガイドレール壁２２を形成している。
【００４７】
図２に示すように、上側縁部１２が狭棚１６の下面に当接するように、１つのパネルの上側縁部１２を他のパネルのスペーサ壁１９の背後に配置することによって、一連のパネル１１を互いに連結している。そして、図３に示すように、溶接部（接着部）２３を設けて主面１５の当接面とスペーサ壁１９の背面とを互いに接続する。
【００４８】
また、図２に示すように、予備成形されたレンガタイル壁用パネル構成材１０には、２個以上のパネルを形成することが可能であり、前記レンガタイル壁用パネル構成材１０は各端部を建築物の各垂直柱に固定することによって前記建築物に接合するようになっている。そして、各レンガタイル２４の上面２６、下面２７に形成した溝２５をガイドレール壁２２の下側縁部１３に摺動自在に嵌入させることにより、前記各レンガタイル２４をレンガタイル壁用パネル構成材１０の各広棚２０に配置するようになっている。
【００４９】
このようにして上下に隣接する対のパネル１１は、一連のレンガタイル２４を収納する通路を形成する。パネル１１はすでに互いに連結されているため、さらに釘、リベット、その他の手段によって連結する必要はない。
【００５０】
全てのレンガタイル２４をそれぞれの通路に配置すると、一連の並列レンガタイル２４，２４となり、隣接する並列レンガタイル２４，２４間にモルタル２７を埋め込むことにより各レンガタイル２４，２４が互いに連結される。
【００５１】
また、建築物支持構造に固定する前にパネル１１を互いに連結してレンガタイル壁用パネル構成材１０を形成することによって、従来技術のような個々のパネル１１をそれぞれ位置合わせをして連結することを必要とせずに、より大型の全面パネルができるため、労力、時間、費用を著しく削減することができる。
【００５２】
狭棚１７およびスペーサ壁１９は、レンガタイル２４の裏面２８が、それを支持しているパネルの主面１５に当接するのを防ぐようになっている。これによって主面１５の表面に生じる結露がブロックタイル２４の裏面２８と常に接触状態になることを防止するという利点がある。
【００５３】
さらに、主面１５上の水分は、狭棚１７に沿ってスペーサ壁１９を伝わり、排水孔２１を介して排水するようになっている。これによりパネル１１上に結露が生じるのを防ぐため、かび類の問題のみならず、腐食問題をも低減する。しかも、凍結あるいは蒸発による水分の膨張や収縮を緩和するため、レンガタイル２４の損傷が軽減することになる。
【００５４】
スペーサ壁１９および狭棚１７は隣接されるパネル１１の当接をも可能にするため、隣接パネル１１を重ね合わせることにより、建築物構造体に接合するための略平坦な表面を特別に設けることなく溶接部２３を設けることができる。
【００５５】
一方、図５には、異なる型のパネル３０が示されており、レンガタイル壁用パネル構成材１０の最上部パネル３０の役割として使用される。この最上部パネル３０は、略平坦な主面３１を有し、その上縁３２は９０度の角度で外方向に屈曲し突出壁３３を形成しており、その最外側３４において９０度の角度で下方向に屈曲して裾壁３５を形成している。そして、この最上部パネル３０の主面３１の背面と、前述したレンガタイル壁用パネル構成材１０のパネル１１の主面が当接するようにして合わせてクリンチや金属用接着剤等により連結するようになっている。この場合、最上部パネル３０の下端部がパネル１１の狭棚１７上に配置されるようにしてもよい。
【００５６】
また、最上部パネル３０は、建築物の側壁を仕上げる最上部のレンガタイル壁用パネル構成材１０に付け足す別個のパネルとして使用することもできる。このパネル３０の下端は、釘、リベット、その他の適当な手段によってレンガタイル壁用パネル構成材１０の上側縁部１２に連結され、その上端の構成によって裾壁３５をレンガタイル２４の溝２５に配置することができる。
【００５７】
代わりに、パネル３０と１つ以上のパネル１１とを結合したレンガタイル壁用パネル構成材１０を作成し、建築物構造体の最上部パネルとして使用するように特別設計されたレンガタイル壁用パネル構成材１０を形成することもできる。
【００５８】
図６に、建築物構造体の最下部パネルとして使用する代替パネル４０を示す。
【００５９】
最下部パネル４０は主面４１により構成され、その下端において直角に屈曲し、図３に関して説明したものと同様にその内側縁に沿って一連の丸孔または排水長孔４２を有する水平壁４３を形成している。
【００６０】
最下部パネル４０は、その上端においてレンガタイル壁用パネル構成材１０の最下部と連結することが可能であり、あるいは、特に建築物の最下部レンガタイル壁用パネル構成材１０として使用するパネル構造の一部としてもよい。レンガタイル壁用パネル構成材１０の最下部と連結する場合、他のパネル１１と同様に、最下部パネル４０の上端面がレンガタイル壁用パネル構成材１０の狭棚１７の底面に当接するようにして配置され、最下部パネル４０の主面４１がスペース壁１９の背面側に当接され連結されるようになっている。
【００６１】
主面４１および水平壁４３とによって、上記のような型のパネルを利用して作成する壁の下部に配置されるレンガタイル２４を支持するようになっている。
【００６２】
つぎに、本発明に係るレンガタイル壁用パネル構成材１０の他の実施形態について説明する。
【００６３】
他の実施形態によれば、前述した複数のパネル１１，３０，４０を互いに連結してレンガタイル壁用パネル構成材１０を形成する構成に代えて、一連の桟あるい棚として支持面をパネルに付加した１つのパネルでレンガタイル壁用パネル構成材１０を形成してもよい。あるいは、パネルを一定の間隔でプレスして折り曲げ、一連の支持面を形成することにより、パネルおよび棚を１つの板として形成してもよい。
【００６４】
つぎに、図１で示したレンガタイル壁用パネル構成材１０に取り付けるレンガタイル２４について、レンガタイル２４は、粘土３０〜３５％。石質パウダーおよび石質ペレットが６５〜７０％の素焼きであり、モルタル２７が石質系パウダーおよび石質系ペレットが６５〜７０％混合されていることから、極めて互いに成分比が類似しているので相性が良く、長期に渡って接着力を高められるのである。したがって、レンガタイル２４とモルタル２７が一体化されることと、図３に示すガイトレール壁２２のＡとＡ’、ＢとＢ’がレンガタイル２４の上面２６と、下面２７の各々の溝２５に嵌入して図２，図７に示す様に、レンガタイル２４の中心部分を挟み込む形の構造となっている為、耐震性に優れ長期間の強度を保持できる壁を形成できる。
【００６５】
したがって、前述した本実施形態におけるパネルおよびレンガタイル壁用パネル構成材１０によれば、地震やその他の構造的に危害を及ぼす力に対して優れた耐性を有する建築物を作ることができると同時に、その壁の建造に要する作業時間を短縮することができる。また、レンガ壁の裏に溜まる結露によって生じる損傷の影響も抑える。かび類やこけの形成も抑制できるので、レンガタイル２４やモルタル２７の損傷を低減することができる。
【００６６】
なお、各パネルが排水孔２１が形成された後に建築物構造体に接合される場合、排水孔２１も位置合わせするように隣接のパネルを一列に並べることは重要な問題である。何らかの手違いがあった場合には、全ての構成部品を取り外して再び位置合わせする必要がある。レンガタイル壁用パネル構成材１０として一連のパネルを予備成形することにより、位置合わせの問題は事実上解消される。
【００６７】
ここにいかなる公開従来技術を引用しようとも、その引用により公開内容が当該技術の一般的常識の一部であると認めているわけではない、ということはオーストラリアおよび諸外国において理解されている。
【００６８】
なお、本発明の本実施形態の各構成は前述したものに限るものではなく、適宜変更することができる。
【００６９】
【発明の効果】
以上説明したように本発明によれば、地震やその他の構造的に危害を及ぼす力に対する耐性を有する建築物壁を得ることができるとともに、壁の建造に要する作業時間を短縮し、しかもレンガ等の壁の裏側に生じる結露によるレンガやモルタルの損傷を低減することができる。
【図面の簡単な説明】
【図１】
本発明に係るレンガタイル壁用パネル構成材に供するレンガタイル（ブリック）の立面図と側面図
【図２】
本発明に係るレンガタイル壁用パネル構成材の実施形態により形成された建築物の壁を示す斜視図
【図３】
本実施形態におけるパネルを示す斜視図
【図４】
図２に示すパネルの側面図
【図５】
本発明の他の実施形態によるレンガタイル壁用パネル構成材の最上部パネルを示す側面図
【図６】
本発明のさらなる実施形態によるレンガタイル壁用パネル構成材の最下部パネルを示す側面図
【図７】
図２をレンガとパネルの組合せ、挟め込みを実施形態により形成された斜壁図
【符号の説明】
１０  レンガタイル壁用パネル構成材
１１  パネル
１２  上側縁部
１３  下側縁部
１４  右端縁部
１５  主面
１６  第１屈曲部
１７  狭棚
１８  外縁
１９  スペーサ壁
２０  広棚
２１  排水孔
２２  ガイドレール壁
２３  溶接部（接着部）
２４  レンガタイル
２５  溝
２６  レンガタイル上面
２７  レンガタイル下面
２８  レンガタイルの裏面
２９  モルタル
３０  パネル
３１  主面
３２  突出壁屈曲部
３３  突出壁
３４  最外端
３５  裾壁（ガイドレール壁）
４０  最下部パネル
４１  主面
４２  排水長孔
４３  水平壁
【手続補正２】
【補正対象書類名】図面
【補正対象項目名】全図
【補正方法】変更
【補正の内容】
【図１】
2003129640.tif 000001
【図２】
2003129640.tif 000002
【図３】
2003129640.tif 000003
【図４】
2003129640.tif 000004
【図５】
2003129640.tif 000005
【図６】
2003129640.tif 000006
【図７】
2003129640.tif 000007